(57)【要約】  第１の長さの外周を有する版胴（１２）を有する印刷機（８）が設けられている。第２の長さの内周を有する、取外し可能な可撓性の連続的な管状の刷版（２２）が、版胴（１２）の周囲に配置されている。印刷モードの間、取外し可能な可撓性の連続的な管状の刷版（２２）の内周と、版胴（１２）の外周とが、第１のギャップを形成するように、第２の長さは第１の長さよりも大きい。印刷機（８）においてカットオフを変更するための方法も提供される。
2011519320.tif 000002
【特許請求の範囲】
【請求項１】
印刷機において、
第１の長さの外周を有する版胴と、
該版胴の周囲に配置された、第２の長さの内周を有する、取外し可能な可撓性の連続的な管状の刷版と、が設けられており、
印刷モードの間、取外し可能な可撓性の連続的な管状の刷版の内周と、版胴の外周とが第１のギャップを形成するように、第２の長さが第１の長さよりも大きいことを特徴とする、印刷機。
【請求項２】
印刷モードの間、取外し可能な可撓性の連続的な管状の刷版に接触する、ブランケット胴の周囲に配置されたブランケットが設けられている、請求項１記載の印刷機。
【請求項３】
第３の長さの外周を有するブランケット胴と、
該ブランケット胴の周囲に配置された、第４の長さの内周を有する、取外し可能な可撓性の連続的な管状のブランケットと、が設けられており、
印刷モードの間、取外し可能な可撓性の連続的な管状のブランケットの内周と、ブランケット胴の外周とが第２のギャップを形成するように、第４の長さが第３の長さよりも大きく、印刷モードの間、取外し可能な可撓性の連続的な管状のブランケットと、取外し可能な可撓性の連続的な管状の刷版とが接触する、請求項１記載の印刷機。
【請求項４】
印刷モードの間、取外し可能な可撓性の連続的な管状のブランケットとニップを形成する圧胴が設けられている、請求項３記載の印刷機。
【請求項５】
第２のブランケット胴の周囲に配置された第２のブランケットと、第２の版胴の周囲に配置された第２の刷版とが設けられており、印刷モードの間、第２の刷版が第２のブランケットと接触し、第２のブランケットが、取外し可能な可撓性の連続的な管状のブランケットとニップを形成する、請求項３記載の印刷機。
【請求項６】
第１のギャップと、第２のギャップとが、所望のカットオフ長さの関数である、請求項３記載の印刷機。
【請求項７】
第１の長さと第３の長さとが、実質的に等しく、第２の長さと第４の長さとが、実質的に等しい、請求項３記載の印刷機。
【請求項８】
取外し可能な可撓性の連続的な管状の刷版の内周面が、凹凸を有しており、版胴の外周面が、凹凸を有しており、取外し可能な可撓性の連続的な管状のブランケットの内周面が、凹凸を有しており、ブランケット胴の外周面が、凹凸を有している、請求項３記載の印刷機。
【請求項９】
前記第１のギャップが、所望のカットオフ長さの関数である、請求項１記載の印刷機。
【請求項１０】
取外し可能な可撓性の連続的な管状の刷版の内周面が、凹凸を有しており、版胴の外周面が凹凸を有している、請求項１記載の印刷機。
【請求項１１】
印刷機においてカットオフを変更するための方法において、
版胴の周囲に配置された、第１の内周を有する、第１の取外し可能な可撓性の連続的な管状の刷版を用いて、第１のカットオフを有する印像を印刷するステップと、
前記第１の取外し可能な可撓性の連続的な管状の刷版を版胴から取り外すステップと、
版胴の周囲に第２の取外し可能な可撓性の連続的な管状の刷版が配置されるように、第１の内周とは異なる第２の内周を有する、第２の取外し可能な可撓性の連続的な管状の刷版を配置するステップと、
第２の取外し可能な可撓性の連続的な管状の刷版を用いて、第１のカットオフとは異なる第２のカットオフを有する印像を印刷するステップと、を有しており、
前記第１の内周が、版胴の外周よりも大きいことを特徴とする、印刷機においてカットオフを変更するための方法。
【発明の詳細な説明】
【技術分野】
【０００１】
発明の背景
本発明は、概して印刷機、特に、可撓性の刷版及びブランケットを有する可変カットオフ印刷機に関する。
【０００２】
米国特許第５９５０５３６号明細書は、一定の直径を備えたブランケット胴と、可変直径の版胴とを有する可変カットオフオフセット印刷機を開示している。版胴の直径は、版胴に、様々なサイズの版胴スリーブを取り付けることによって変更される。各スリーブは、印刷される印像の長さに比例している。
【０００３】
米国特許第６３２７９７５号明細書は、ウェブに印像を印刷するための２つ以上の印刷ユニットを備えた印刷機を使用することを開示している。各印刷ユニットは、ブランケット胴と、版胴と、圧胴とを有している。各印刷ユニットは、印像の部分を印刷し、印像の部分の間に、印刷されないスペースを残さない。これにより、印刷機は、ウェブの長手方向での寸法が各版胴の円周よりも長い印像を印刷することができる。印刷されないスペースを排除するために、各圧胴は、ウェブを介して、関連するブランケット胴と転動係合させられたり離反させられたりし、ウェブは、ブランケット胴と圧胴とが係合させられている時だけに印刷される。各印刷ユニットの版胴及びブランケット胴は、ユニットがウェブに印刷している時はウェブと同じ速度で駆動され、ユニットが印刷していない時は異なる速度で駆動される。
【０００４】
米国特許第７０６６０８８号明細書は、少なくとも２つの異なる色のインキの少なくとも２つの供給源と、少なくとも２つの版胴と、少なくとも２つの圧胴と、連続的な印像転移ベルトとを有する可変カットオフ印刷機を開示している。各版胴は、異なる直径の印刷スリーブを受容し、これにより、刷版の有効長さを変更し、多数の寸法の印像を印刷することができる。印像転移ベルトは、個々の圧胴と共に形成された個々のニップにおいて印刷スリーブと接触するように位置決めされている。ウェブは、印像転移ベルトと圧胴とによって形成されたニップを通過する。
【０００５】
発明の簡単な概要
第１の長さの外周を有する版胴が設けられた印刷機が提供される。第２の長さの内周を有する取外し可能な可撓性の連続的な管状の刷版が、版胴の周囲に配置されている。印刷モードの間、取外し可能な可撓性の環状プレートの内周と、版胴の外周とが、第１のギャップを形成するように、第２の長さは第１の長さよりも大きい。
【０００６】
印刷機においてカットオフを変更する方法も提供される。ステップは、版胴の周囲に配置された第１の内周を有する第１の取外し可能な可撓性の連続的な管状の刷版を用いて、第１のカットオフを有する印像を印刷し、第１の取外し可能な可撓性の連続的な管状の刷版を版胴から取り外し、第２の取外し可能な可撓性の連続的な管状の刷版が版胴の周囲に配置されるように、第１の内周とは異なる第２の内周を有する第２の取外し可能な可撓性の連続的な管状の刷版を配置し、第２の取外し可能な可撓性の連続的な管状の刷版を用いて、第１のカットオフとは異なる第２のカットオフを有する印像を印刷する。
【０００７】
以下に本発明を以下の図面を参照しながら説明する。
【図面の簡単な説明】
【０００８】
【図１】本発明の実施形態による４色両面オフセット印刷機の概略的な側面図である。
【図２】インキ着けローラを備えた、図１に示された両面オフセット印刷機の印刷ユニットの拡大された概略的な側面図である。
【図３】本発明の別の実施形態による、片面オフセット印刷機の印刷ユニットの拡大図である。
【０００９】
詳細な説明は、版胴及びブランケット胴を交換する必要なく同じ印刷機において異なるサイズの製品を印刷することができるように、可変カットオフ印刷機が発展されてきた。印刷される必要がある印像のサイズに対応するように版胴及びブランケット胴を変更することは、時間を浪費しかつ困難な作業である。この変更は、多数のサイズの胴を購入及び保管することも必要とする。
【００１０】
図１は、本発明の実施形態による４色両面オフセット印刷機８の概略的な側面図を示している。印刷機８は、４つの印刷ユニット１０と、カッタ１０２と、折り機１０４と、デリバリ羽根車１０６と、搬送ベルト１０８とを有している。各印刷ユニット１０はウェブ２０の両側に印刷する。各印刷ユニット１０において、インキ装置は、版胴１２，１４上の刷版２２，２４にインキを供給し、これらの刷版は個々のインキ着けされた印像をブランケット胴１６，１８上のブランケット２６，２８に転移する。ブランケット２６，２８は、矢印Ｂの方向に移動するウェブ２０に印像を印刷する。
【００１１】
図２は、インキ着けローラ２７を備えた、図１に示された両面オフセット印刷機８の印刷ユニット１０の拡大された概略的な側面図を示している。印刷ユニット１０は、第１の版胴１２と、第１のブランケット胴１６と、第２のブランケット胴１８と、第２の版胴１４とを有している。ウェブ２０はブランケット胴１６，１８の間を矢印Ａの方向に通過する。各胴１２，１４，１６，１８は、最も小さな潜在的な印刷される印像カットオフよりも小さな一定の円周を有している。連続的な管状の刷版２２，２４がそれぞれ版胴１２，１４に配置されている。同様に、連続的な管状のブランケット２６，２８がそれぞれブランケット胴１６，１８に配置されている。刷版２２，２４及びブランケット２６，２８は可撓性材料から成る。インキ装置はインキを刷版２２，２６に供給し、刷版は、インキ着けされた印像をそれぞれブランケット２６，２８に転移する。次いで、ブランケット２６，２８は、ブランケット胴１６，１８が回転しながら個々のインキ着けされた印像をウェブ２０に印刷する。
【００１２】
各刷版２２，２４は、個々の関連する版胴１２，１４の外周の長さよりも公称で大きいよりも大きい内周の長さを有している。各ブランケット２６，２８は、個々の関連するブランケット胴１６，１８の外周の長さよりも公称で大きいよりも大きい内周の長さを有している。したがって、刷版２２，２４及びブランケット２６，２８は、個々の関連する胴１２，１４，１６，１８に関して余剰周囲３２，３４，３６，３８を有している。ニップ箇所１５，１７，１９が、版胴１２とブランケット胴１６との間、ブランケット胴１６とブランケット胴１８との間、及びブランケット胴１８と版胴１４との間にそれぞれ形成されている。印刷ユニット１０が作動中である印刷モードの間、胴１２，１４，１６，１８は回転し、余剰周囲３２，３４，３６，３８は、個々のニップ箇所１５，１７，１９を通過しないときは個々の関連する胴１２，１４，１６，１８から離れるように張り出し、ニップ箇所１５，１７，１９において胴１２，１４，１６，１８の個々の外周と接触する。胴１２，１４，１６，１８から離れるように張り出す余剰周囲３２，３４，３６，３８の大きさは、所定のカットオフを得るために選択された、刷版２２，２４及びブランケット２６，２８の周長の関数である。
【００１３】
正確な半径方向位置決めを維持し、胴１２，１４，１６，１８が回転させられながら、胴１２，１４，１６，１８の外周面と個々の刷版２２，２４及びブランケット２６，２８の内周面との滑りを回避するために、刷版２２，２４及びブランケット２６，２８の内周面と、胴１２，１４，１６，１８の外周面とには、凹凸が設けられていてよい。図３に詳細に示されているように、凹凸が設けられた表面は、ハーモニックドライブにおける歯車と同様の形式で噛み合うことによって位置決めを維持する。インキ着けローラ２７は、ブランケット２６，２８の凹凸が設けられた表面の部分を、ある所望の位置において、ブランケット胴１６及び１８の凹凸が設けられた表面の部分と係合させるために利用されてよい。択一的に、ばね付勢されたテンショナ均等装置を、余剰周囲３２，３４，３６，３８を制御した状態に維持するために付加することができる。
【００１４】
好適な実施形態において、胴１２，１４，１６，１８と、刷版２２，２４と、ブランケット２６，２８との表面速度は、ほぼ等しいままである。インキ装置は、望まれるならば、歯車で連結されてよく、個々のシャフトレスドライブの必要性を排除する。
【００１５】
新たな印刷される印像カットオフへの変更は、刷版２２，２４を、新たな印像を有する交換刷版と交換し、かつブランケット２６，２８を交換ブランケットと交換することだけを必要とする。交換刷版及び交換ブランケットは、刷版２２，２４及びブランケット２６，２８の内周とはそれぞれ長さが異なる個々の内周を有することができる。交換刷版及び交換ブランケットは、新たな所望の印像のカットオフ長さに対応するように寸法決めされている。交換刷版及び交換ブランケットは、交換刷版及び交換ブランケットが交換している個々の刷版２２，２４及びブランケット２６，２８よりも厚い又は薄いこともできる。好適な実施形態において、刷版２２，２４及び交換刷版における印像はそれぞれ、連続的な刷版及び交換刷版の外周全体をカバーすべきである。
【００１６】
刷版２２，２４及びブランケット２６，２８が取り外されて交換刷版及び交換ブランケットと交換される前に、印刷モードの間、ウェブ２０は、各刷版２２，２４の周囲の長さとほぼ等しいカットオフを有する印像が印刷される。刷版２２，２４及びブランケット２６，２８が取り外されて交換刷版及び交換ブランケットと交換された後、ウェブ２０は、各交換刷版の周囲の長さとほぼ等しいカットオフを有する印像が印刷される。胴１２，１４，１６，１８は、カットオフを変更するための交換される必要はない。さらに、胴１２，１４，１６，１８の位置決めは、新たなカットオフで印刷している時に移動させられる必要はない。交換刷版及び交換ブランケットは、刷版２２，２４及びブランケット２６，２８とは異なる個々の周囲を有しており、ひいては新たなカットオフを提供するが、交換刷版及び交換ブランケットが交換している刷版２２，２４及びブランケット２６，２８と同じ厚さであってよい。
【００１７】
図３は、本発明の別の実施形態による片面オフセット印刷機の印刷ユニット４０の拡大された概略的な側面図を示している。印刷ユニット４０は、圧胴４２と、ブランケット胴４４と、版胴４６とを有している。刷版５６は、版胴４６の周囲に張り出して配置されており、ブランケット５４は、ブランケット胴４４の周囲に張り出して配置されている。刷版５６及びブランケット５４はそれぞれ連続的であり、可撓性材料から成る。インキ装置は刷版５６にインキを供給し、刷版はインキ着けされた印像をブランケット５４に転移し、ブランケットは通過するウェブ５０に印像を印刷する。
【００１８】
刷版５６とブランケット５４との内周面と、版胴４６とブランケット胴４４との外周面とには、凹凸が設けられている。ブランケット５４の内周の長さはブランケット胴４４の外周の長さよりも大きい。刷版５６の内周の長さも、版胴４６の外周の長さよりも大きい。胴４４，４６が回転させられると、刷版５６の内周面は、刷版５６とブランケット５４とによって形成されたニップ５１において、版胴４６の外周面に対して押し付けられている。刷版５６に接触するインキ装置も、刷版５６の内周面を版胴４６の外周面に接触させる。ブランケット５４の内周面は、ニップ５１と、ブランケット５４と圧胴４２とによって形成されたニップ５３とにおいて、ブランケット胴の外周面に対して押し付けられている。ニップ５１，５３において、ブランケット５４と刷版５６との凹凸が設けられた面は、ブランケット胴４４と版胴４６とのそれぞれ凹凸が設けられた面と係合し、凹凸係合位置を形成している。これらの凹凸係合位置５７は、胴４４，４６が回転する時にブランケット５４及び刷版５６の正確な半径方向位置決めを維持するために働く。版胴４６及び刷版５６の凹凸が設けられた面は、インキ装置及び胴４４，４６によって刷版５６に対して加えられる力の大きさと、胴４２，４４，４６が回転させられる速度とに応じて、ニップ５１，５３以外の位置においても係合する。同様に、ブランケット胴４４とブランケット５４との凹凸が設けられた面は、胴４２，４４，４６とウェブ５０とによって加えられる力の大きさと、胴４２，４４，４６が回転させられる速度とに応じて、ニップ５１，５３以外の位置においても係合する。
【００１９】
印刷モードの間、ブランケット胴４４の外周面に接触しないブランケット５４の内周面は、ブランケット胴４４から離れて張り出し、図３に示したように、力が、実質的に版胴４６の外周面の全ての側を刷版５６の内周面と係合させると、ブランケット胴４４の一方の側にギャップ５５を形成する。刷版５６の内周面は、同様の形式で版胴４６の外面と協働し、版胴４６の一方の側にギャップ５９を形成する。択一的に、同様の結果を生ぜしめるために刷版５６及びブランケット５４において、テンショナが用いられてもよい。
【００２０】
図３に示された実施形態は、版胴４６及びブランケット胴４４が互いに近接していることを許容するが、同時に、刷版５６とブランケット５４との内周の長さがそれぞれ実質的に版胴４６とブランケット胴４４との外周の長さと等しい場合に可能なカットオフよりも、より長いカットオフを許容する。ブランケット５４と刷版５６とは、これらのブランケット５４及び刷版５６よりも大きな内周を有する交換ブランケット及び交換刷版と交換されることができ、これにより、より大きなカットオフを許容するが、版胴４６とブランケット胴４４との間の位置的な関係を維持する。
【００２１】
前記明細書において、発明は、特定の典型的な実施形態及び実施例に関連して説明された。しかしながら、以下の請求項に示された発明のより広い精神及び範囲から逸脱することなく発明に様々な修正及び変更がなされてよいことが明らかになるであろう。したがって、明細書及び図面は、限定的な意味ではなく例示的な意味で見なされるべきである。
【図１】
2011519320.tif 000003
【図２】
2011519320.tif 000004
【図３】
2011519320.tif 000005
【手続補正書】
【提出日】平成22年12月3日(2010.12.3)
【手続補正１】
【補正対象書類名】図面
【補正対象項目名】図２
【補正方法】変更
【補正の内容】
【図２】
2011519320.tif 000006
【手続補正２】
【補正対象書類名】図面
【補正対象項目名】図３
【補正方法】変更
【補正の内容】
【図３】
2011519320.tif 000007
【国際調査報告】
2011519320.tif 000008